(57)【要約】【課題】排ガス流路内に複数段設けられた脱硫液噴霧用スプレノズルでの脱硫液噴霧吐出圧を低減させながら脱硫性能を従来と同等に保つことができる排ガス処理装置と方法を提供すること。【解決手段】脱硫液を噴霧するスプレノズルを複数段設置した脱硫装置の上段側ノズルに下段側ノズルよりも低噴霧圧で、該下段側ノズルと同液滴噴霧量、同液滴噴霧速度及び同液滴径となるノズルを設置するために、ノズルは、脱硫液の円筒状の横向き入口通路と該横向き入口通路に続く水平断面が円形であり鉛直方向断面が上部の幅広形状部と該幅広形状部から下側になるほど順次幅狭となる幅狭形状部からなる旋回室と該旋回室の幅狭形状部に続く脱硫液の円筒状の下向き出口通路からなり、該スプレノズルの入口直径及び旋回室の幅広形状部の直径を上段側のスプレノズルほど大きくし、脱硫液の円筒状の下向き出口通路の直径を上段側と下段側のスプレノズルで同じ大きさにした。【選択図】図３
2014213288.tif 000002
【特許請求の範囲】
【請求項１】
燃焼装置からの燃焼排ガスを導入し、下方から上方に流れる排ガスに対して脱硫液を噴霧するスプレノズルを複数段設置した脱硫装置と脱硫装置の下部に設けられたスプレノズルに脱硫液を循環ポンプにより循環供給する循環タンクを備えた排ガス中の硫黄酸化物を吸収除去する排ガス処理装置において、
脱硫装置の上段側のスプレノズルには下段側のスプレノズルよりも低噴霧圧で、下段側スプレノズルと同液滴噴霧量、同液滴噴霧速度及び同液滴径となるような脱硫液の流路形状を有するスプレノズルを備えたことを特徴とする排ガス処理装置。
【請求項２】
脱硫装置のスプレノズルは、脱硫液を導入する円筒状の横向き入口通路と該横向き入口通路に続く水平断面が円形であり、鉛直方向断面が上部の幅広形状部と該幅広形状部から下側になるほど順次幅狭となる幅狭形状部からなる旋回室と該旋回室の幅狭形状部に続く脱硫液を排出する円筒状の下向き出口通路からなり、該スプレノズルの入口直径及び旋回室の幅広形状部の直径を上段側のスプレノズルほど大きくし、脱硫液の円筒状の下向き出口通路の直径を上段側と下段側のスプレノズルで同じ大きさにすることを特徴とする請求項１記載の排ガス処理装置。
【請求項３】
上段側のスプレノズルと下段側のスプレノズルに共に単一の循環ポンプにより循環タンクからの脱硫液を供給することを特徴とする請求項１記載の排ガス処理装置。
【請求項４】
上段側のスプレノズルと下段側のスプレノズルにそれぞれ別々の同一仕様の循環ポンプにより循環タンクからの脱硫液を供給することを特徴とする請求項１記載の排ガス処理装置。
【請求項５】
燃焼装置からの燃焼排ガスを導入し、下方から上方に流れる排ガスに対して脱硫液を噴霧するスプレノズルを複数段設置した脱硫装置と脱硫装置の下部に設けられたスプレノズルに脱硫液を循環ポンプにより循環供給する循環タンクを用いて、排ガス中の硫黄酸化物を吸収除去する排ガス処理方法において、
上段側のスプレノズルには下段側のスプレノズルよりも低噴霧圧で、該下段側スプレノズルと同液滴噴霧量、同液滴噴霧速度及び同液滴径となるように脱硫液を循環供給することを特徴とする排ガス処理方法。
【発明の詳細な説明】
【技術分野】
【０００１】
本発明は、排ガス中に含まれる硫黄酸化物を除去する排煙処理装置と排ガス処理方法に係わり、特に脱硫液を排ガス中に噴霧する湿式脱硫処理技術に関するものである。
【背景技術】
【０００２】
火力発電所のボイラ等の燃焼装置から生じる排ガスを浄化処理する排ガス処理装置として、脱硫液を排ガス中に噴霧することで排ガス中の硫黄酸化物（主にＳＯ2）を吸収、除去する湿式脱硫装置を使用した装置構成の一例を図７に示す。  
【０００３】
燃料として石炭を使用する例を示すが、硫黄含有量の多い重油などでも同様な構成となるのが一般である。ボイラ１に石炭２１と燃焼用空気３６を供給し、石炭２１の燃焼反応によって発生した熱により、図示しないボイラ熱交換器で高圧蒸気を作る。上記高圧蒸気により図示しないタービンを回転させ、タービンと連結した発電機により発電する。
【０００４】
一方、ボイラ１から排出される燃焼排ガスは、空気予熱器（Ａ／Ｈ）３で燃焼用空気と熱交換した後、集塵機４で煤塵が除去される。集塵機４としては、濾布を使用したバグフィルタや、流路内に電極を設置した電気式集塵器などがある。バグフィルタは、設備コストは安価であるが、圧力損失が大きいこと、濾布を定期的に交換する必要があるなどの問題もあり、圧力損失が小さく、比較的メンテナンスが容易な電気式集塵器が広く使用されている。一般に集塵機部のガス温度は１６０〜２００℃程度である。  
【０００５】
次に、集塵機４を出た排ガスは湿式脱硫装置５に供給され、排ガス中のＳＯ2が除去された後、煙突２から放出される。
ここで、湿式脱硫装置５では、内部にスプレノズル２７が複数段設置され、循環タンク２８内の脱硫液を循環ポンプ２６により昇圧してスプレノズル２７から噴霧する構成となっている。一般に脱硫液として、ＣａＣＯ3やＮａＯＨ溶液が使用される。脱硫装置５内に噴霧された脱硫液は、排ガス中のＳＯ2を吸収し、脱硫装置５の下部にある脱硫液タンク２８で捕集され、排水ライン２９より図示しない排水処理設備に送られる。
【０００６】
図７に示す排煙脱硫装置は、例えば特開昭６２−２２５２２６号公報などに開示されている。
また、特許文献２（特開平９−１７３７６４号公報）には脱硫装置内の複数の吸収液スプレ段の中で、最上流スプレ段のスプレノズルから噴霧される液滴よりも微粒な液滴を下流スプレ段のスプレノズルから噴霧することで、前記下流スプレ段のスプレノズルから噴霧される表面積の大きな液滴による脱硫性能と除塵性能を最上流スプレ段のスプレノズルから噴霧される液滴より高くすることができることが開示されている。
【０００７】
また、特許文献３（特公平２−１５２３号公報）には縦型の脱硫装置内に設ける複数の吸収液スプレ段の中で、最上流スプレ段（下段）のスプレノズルから噴霧される液滴の粒径を１００〜５００μｍ、中段のスプレ段のスプレノズルから噴霧される液滴の粒径を５００〜８００μｍ、上段のスプレノズルから噴霧される液滴の粒径を８００〜１５００μｍとすることで、上段のスプレノズルから噴霧される大きな液滴は、塔内に滞留している時間がより長く、落下中に塔内のヘッダなどに衝突するので、大きな液滴でも無駄がなく、高い吸収効率（脱硫効率）が得られ、下段のスプレノズルから噴霧される小さな液滴は比表面積が大きく、塔内滞留時間が長く効果的な吸収（脱硫）を行うことができるという発明が開示されている。
【先行技術文献】
【特許文献】
【０００８】
【特許文献１】特開昭６２−２２５２２６号公報
【特許文献２】特開平９−１７３７６４号公報
【特許文献３】特公平２−１５２３号公報
【発明の概要】
【発明が解決しようとする課題】
【０００９】
前記図７に示す従来技術においては、脱硫装置内部に脱硫液のスプレノズル２７を多段に設置している。このような場合、循環ポンプで脱硫液を昇圧し、各段のスプレノズル２７に供給した場合、上段のスプレノズル２７は高さ分だけ、噴霧圧が低下してしまうため、噴霧液量が減少し、液滴噴霧速度が遅くなり、さらに液滴径が小さくなってしまう。
【００１０】
図６に、同じスプレノズル２７を使用した場合の、噴霧圧と噴霧液量、液滴径及びＳＯ2吸収量との関係をそれぞれ示す。噴霧圧力が低下すると、噴霧流量が低下し、また、噴霧する液滴径が大きくなることが分かる。それらのことから噴霧圧力が低下すると、排ガス中のＳＯ2吸収量も低下することが分かる。
【００１１】
そのため、従来は図７に示すように下段側のスプレノズル２７に脱硫液を供給する配管の途中にオリフィス２４を設置することで、各段のスプレノズル２７にかかる背圧が同じになるようにしている。しかし、このようなオリフィス２４を設置することでポンプ２６の動力が無駄に消費されることとなり、ポンプ動力が大きくなってしまうという問題があった。
【００１２】
また、各段のスプレノズル２７に脱硫液を供給する配管に循環ポンプ２６を設置する方法も考えられるが、この場合は、上記の理由によりそれぞれポンプ２６の仕様を変えて、各段のスプレノズル２７にかかる圧力が同じになるようにしている。そのため、それぞれのポンプ２６に対して、異なる消耗品を用意する必要があるなどの問題があった。
【００１３】
また、上記特許文献２，３にはスプレ液滴の粒径をスプレ段毎に変化させて、高い脱硫率を達成させる発明が開示されているが、異なるスプレ段で液滴を噴霧するためのポンプの動力を複雑に調整する必要がある。
【００１４】
本発明の課題は、排ガス流路内の複数段の脱硫液噴霧用のスプレノズルでの脱硫液噴霧吐出圧を低減させながら脱硫性能を従来と同等に保つことができる排ガス処理装置及び排ガス処理方法を提供することである。
【課題を解決するための手段】
【００１５】
上記課題は、次の解決手段で解決される。  
請求項１記載の発明は、燃焼装置からの燃焼排ガスを導入し、下方から上方に流れる排ガスに対して脱硫液を噴霧するスプレノズルを複数段設置した脱硫装置と脱硫装置の下部に設けられたスプレノズルに脱硫液を循環ポンプにより循環供給する循環タンクを備えた排ガス中の硫黄酸化物を吸収除去する排ガス処理装置において、脱硫装置の上段側のスプレノズルには下段側のスプレノズルよりも低噴霧圧で、下段側スプレノズルと同液滴噴霧量、同液滴噴霧速度及び同液滴径となるような脱硫液の流路形状を有するスプレノズルを備えたことを特徴とする排ガス処理装置である。
【００１６】
請求項２記載の発明は、脱硫装置のスプレノズルは、脱硫液を導入する円筒状の横向き入口通路と該横向き入口通路に続く水平断面が円形であり、鉛直方向断面が上部の幅広形状部と該幅広形状部から下側になるほど順次幅狭となる幅狭形状部からなる旋回室と該旋回室の幅狭形状部に続く脱硫液を排出する円筒状の下向き出口通路からなり、該スプレノズルの入口直径及び旋回室の幅広形状部の直径を上段側のスプレノズルほど大きくし、脱硫液の円筒状の下向き出口通路の直径を上段側と下段側のスプレノズルで同じ大きさにすることを特徴とする請求項１記載の排ガス処理装置である。
【００１７】
請求項３記載の発明は、上段側のスプレノズルと下段側のスプレノズルに共に単一の循環ポンプにより循環タンクからの脱硫液を供給することを特徴とする請求項１記載の排ガス処理装置である。
【００１８】
請求項４記載の発明は、上段側のスプレノズルと下段側のスプレノズルにそれぞれ別々の同一仕様の循環ポンプにより循環タンクからの脱硫液を供給することを特徴とする請求項１記載の排ガス処理装置である。
【００１９】
請求項５記載の発明は、燃焼装置からの燃焼排ガスを導入し、下方から上方に流れる排ガスに対して脱硫液を噴霧するスプレノズルを複数段設置した脱硫装置と脱硫装置の下部に設けられたスプレノズルに脱硫液を循環ポンプにより循環供給する循環タンクを用いて、排ガス中の硫黄酸化物を吸収除去する排ガス処理方法において、上段側のスプレノズルには下段側のスプレノズルよりも低噴霧圧で、該下段側スプレノズルと同液滴噴霧量、同液滴噴霧速度及び同液滴径となるように脱硫液を循環供給することを特徴とする排ガス処理方法である。
（作用）
【００２０】
排ガス処理装置で一般に用いられる脱硫装置内で脱硫液を噴出するスプレノズルの水平断面図を図３（ａ）に示し、鉛直断面図を図３（ｂ）に示す。図３（ａ）の図面左側より脱硫液が円筒状の横向き入口通路からスプレノズル内に入り、該横向き入口通路に続く水平断面が円形であり、鉛直方向断面が上部の幅広形状部と該幅広形状部から下側になるほど順次幅狭となる幅狭形状部からなる旋回室で脱硫液は旋回流を形成し、該旋回室の幅狭形状部に続く脱硫液の円筒状の下向き出口通路から脱硫液を噴出する構成となっている。
【００２１】
このようなスプレノズルの噴霧圧と噴霧液量、噴霧速度及び液滴径との関係は図６（ａ）、図６（ｂ）及び図６（ｃ）に示す。図６に示すようにスプレノズルからの脱硫液の噴霧圧が下がると、噴霧液量及び噴霧速度は低下し、液滴径は大きくなる。そのため、排ガス中のＳＯ2吸収特性は噴霧圧が低下するとＳＯ2吸収量は低下する。
【００２２】
一方、このようなスプレノズルでは、噴霧圧と噴霧量の関係は図３に示す入口直径Ｄｉによって調整できる。また、スプレノズル出口部から噴出する液滴径は、旋回室の水平断面円形の内径Ｄｒ及び出口直径Ｄｇを調整することで調整できる。具体的には、入口直径Ｄｉを大きくすることで、噴霧圧力が低下しても、噴霧量を同じにすることができる。また、入口直径Ｄｉを大きくすることで、旋回室に流入する液の速度が遅くなるが、旋回室内径Ｄｒを大きくし、出口直径Ｄｇを一定とすることで、スプレノズル出口から噴出する液滴径、液滴速度を同じにすることができる。
【００２３】
図４にはスプレノズルの噴霧圧（ＭＰａ）に対してスプレノズルの噴霧流量（Ｌ／ｍｉｎ）、液滴径（μｍ）及び液滴速度（ｍ／ｓ）について、実線で示す基準の入口直径Ｄｉと旋回室内径Ｄｒを有するスプレノズルＡの値に対して入口直径Ｄｉと旋回室の水平断面円形の内径Ｄｒを大きくしたスプレノズルＢの一例を破線で示す。
【００２４】
図４に示す結果より、噴霧圧を０．０６ＭＰａから０．０４５ＭＰａに下げても、噴霧液量、噴霧速度及び液滴径は０．０６ＭＰａの時とほぼ同等となっていることが分かる。また、この時の排ガス中のＳＯ2吸収特性を図５中に示すが、噴霧圧を０．０６ＭＰａから０．０４５ＭＰａに下げても、同じＳＯ2吸収量となることが分かる。
【００２５】
このような脱硫用のスプレノズルを排ガス処理装置（脱硫装置）の上段部に設置することで、上段部のスプレノズルの背圧（噴霧圧）が下がっても、下段部にある噴霧圧がより高いスプレノズルと同じ脱硫液量を同じ噴霧速度、液滴径で噴霧することができるようになり、ＳＯ2吸収特性も同様に維持できることが分かる。
【００２６】
本発明は、すでに運用中の排ガス処理装置の脱硫装置に対して特に有効となる。すなわち、既設の縦型脱硫装置において、下段側のスプレノズル内の入口直径Ｄｉ、旋回室内径Ｄｒ、出口直径Ｄｇに対応した部分の上段側のスプレノズルの構造を図３に示す構造、即ち入口直径Ｄｉを大きくすることで、噴霧圧力が低下しても、噴霧量を同じにすることができる。また上段側のスプレノズルの入口直径Ｄｉを大きくすることで旋回室に流入する液の速度が遅くなるが、旋回室内径Ｄｒを大きくし、出口直径Ｄｇを一定とした構造に変更し、図７に示すスプレノズル２７に脱硫液を循環する配管中のオリフィス２４を撤去することで脱硫性能はそのままで、循環ポンプ２６の吐出圧を低く運転することが可能となり、運転動力を低減できるという効果がある。
【００２７】
また、本発明により、従来と同等のスプレノズルからの脱硫液の吐出圧で脱硫装置を運転した場合は、脱硫装置の上段部の改良スプレノズルからの吐出液量が増加するため、同じ消費動力で循環液量を増加することが可能となり脱硫性能が向上できるという利点もある。
【発明の効果】
【００２８】
請求項１、５記載の発明によれば、循環ポンプの吐出圧を、上段側のスプレノズルからの脱硫液の吐出圧を下段側のスプレノズルからの脱硫液の吐出圧より低減しても下段側のスプレノズルと同じ脱硫液量を同じ噴霧速度、液滴径で排ガス中に噴霧することができるようになり、ＳＯ2吸収特性も同様とすることができ、消費電力を節減できる。
【００２９】
請求項２記載の発明によれば、スプレノズルの入口直径及び旋回室の幅広形状部の直径を、上段側のスプレノズルほど大きくし、旋回室からの円筒状の下向き出口通路の直径を上段側と下段側のスプレノズルで同じとすることで請求項１記載の発明の効果を達成することができる。
【００３０】
請求項３記載の発明によれば、請求項１記載の発明の効果に加えて、上段側スプレノズルと下段側スプレノズルに共に単一の循環ポンプにより循環タンクからの脱硫液を供給することで、単一の循環ポンプを調整するだけで、上段側スプレノズルと下段側スプレノズルで同一のＳＯ2吸収特性を得ることができる。
【００３１】
請求項４記載の発明によれば、請求項１記載の発明の効果に加えて、上段側スプレノズルと下段側スプレノズルにそれぞれ別々の同一仕様の循環ポンプを用いることで上段側スプレノズルと下段側スプレノズルで同一のＳＯ2吸収特性を得ることができるので、消耗品の種類を少なくして、循環ポンプ管の部品を流用することが可能となる。
【図面の簡単な説明】
【００３２】
【図１】本発明の一実施例の排ガス処理装置の構成を示す。
【図２】本発明の一実施例の排ガス処理装置の構成を示す。
【図３】本発明の一実施例のスプレノズルの構造を示す（図３（ａ）は水平断面図、図３（ｂ）は鉛直断面図）。
【図４】図１、図２のスプレノズルＡ、Ｂの噴霧圧と噴出する液量、速度、液滴径の特性を示す。
【図５】図１、図２のスプレノズルＡ、Ｂの噴霧圧とＳＯ2吸収特性との関係を示す。
【図６】図１、図２のスプレノズルＡの噴霧圧と噴霧流量、液滴径及びＳＯ2吸収量比の特性を示す。
【図７】従来技術の排ガス処理装置の構成を示す。
【発明を実施するための形態】
【００３３】
本発明の実施例を図面と共に説明する。
【実施例１】
【００３４】
図１にはボイラ１の燃料として石炭２１を使用する排ガス処理装置の構成図を示す。  
ボイラ１に石炭２１と燃焼用空気３６を供給し、石炭２１の燃焼反応によって発生した熱により、図示しないボイラ熱交換器で高圧蒸気を作り、得られた高圧蒸気により図示しないタービンを回転させ、タービンと連結した発電機により発電する。
【００３５】
一方、ボイラ１から排出される燃焼排ガスは、空気予熱器（Ａ／Ｈ）３で燃焼用空気と熱交換した後、集塵機４で煤塵が除去される。集塵機４としては、濾布を使用したバグフィルタや、流路内に電極を設置した電気式集塵器などが使用可能である。一般に集塵機部のガス温度は１６０〜２００℃程度である。次に、集塵機４を出た排ガスは湿式脱硫装置５に供給され、排ガス中のＳＯ2が除去された後、煙突２から放出される。
【００３６】
ここで、湿式脱硫装置５では、下段側のスプレノズルＡ２７と上段側のノズルＢ３０を図面では１段ずつしか示していないが、実際はそれぞれ複数段設置され、循環タンク２８内の脱硫液を循環ポンプ２６により昇圧して下段側のスプレノズルＡ２７と上段側のノズルＢ３０から噴霧する構成となっている。一般に脱硫液として、ＣａＣＯ3やＮａＯＨ溶液が使用される。脱硫装置５内に噴霧された脱硫液は、排ガス中のＳＯ2を吸収し、脱硫装置５の下部にある脱硫液タンク２８で捕集され、排水ライン２９より図示しない排水処理設備に送られる。
【００３７】
下段側スプレノズルＡ２７には図７の従来例で採用していたオリフィス２４は使用していない。また、下段側のスプレノズルＡ２７と上段側のノズルＢ３０をそれぞれ１段ずつ設置した場合を想定して以下説明する。
【００３８】
下段側スプレノズルＡ２７は、脱硫液タンク２８の脱硫液面の上方１５ｍの位置に、上段側スプレノズルＢ３０は１６．５ｍの位置に設置した。循環ポンプ２６は、所定流量時における吐出圧が０．２１ＭＰａとなる機器を選定した。
【００３９】
循環ポンプ２６は、脱硫液を０．２１ＭＰａまで昇圧し、所定流量を下段ノズルＡ２７、上段ノズルＢ３０に供給する。この時、下段スプレノズルＡ２７はスプレノズル高さ１５ｍ（約０．１５ＭＰａ）分、圧力が低下するため、スプレノズル部にかかる圧力は０．０６（＝０．２１−０．１５）ＭＰａとなる。この時の噴霧液量、噴霧液速度及び液滴径は、図４に実線で示す特性となる。
【００４０】
一方、上段スプレノズルＢ３０では、スプレノズル高さ１６．５ｍ（約０．１６５ＭＰａ）分、圧力が低下するため、スプレノズル部にかかる圧力は０．０４５（＝０．２１−０．１６５）ＭＰａとなる。この時の噴霧液量、噴霧液速度及び液滴径は、図４に破線で示す特性となる。
【００４１】
一方、比較例として、図７に示す従来構造の場合を以下に示す。  
従来例の場合は、オリフィス部２４で０．０１５ＭＰａの圧力損失が発生するように絞り部を設置し、上段と下段のスプレノズル２７、２７とも従来構造のものを設置している。循環ポンプ２６には、脱硫液を０．２２５（＝０．２１＋０．０１５）ＭＰａまで昇圧し、所定流量を上段と下段のスプレノズル２７、２７に供給することとなる。この時、下段スプレノズル２７はスプレノズル高さ１５ｍ（約０．１５ＭＰａ）分とオリフィス部での０．０１５ＭＰａとを合わせた０．１６５ＭＰａ圧力が低下し、スプレノズル部にかかる圧力は０．０６（＝０．２２５−０．１６５）ＭＰａとなる。一方、上部スプレノズル２７は、ノズル高さ１６．５ｍ（約０．１６５ＭＰａ）分、圧力が低下するため、スプレノズル部にかかる圧力は０．０６（０．２２５−０．１６５）ＭＰａとなり、所定のＳＯ2吸収性能を得ることができる。
【００４２】
上記のように、本発明によれば、循環ポンプ２６の吐出圧を、従来の０．２２５ＭＰａから０．２１ＭＰａまで低減することが可能となり、消費電力量もこの分低減することができる。
【実施例２】
【００４３】
本発明の他の実施例を図２に示す。本実施例では、図１に示す排ガス処理装置に比べて循環ポンプ２６をスプレノズル段毎に設置する例を示す。  
従来技術においては、このようにスプレノズル段毎に循環ポンプ２６を設置する場合は、循環ポンプ２６の仕様を変えて、各段のスプレノズルにかかる圧力が等しくなるような構成としている。そのため、消耗品等もそれぞれのポンプに合わせたものをそれぞれ用意する必要があった。特に、脱硫装置５の容量すなわち処理ガス量が多い場合は、スプレノズルの段数が５段と多くなり、循環ポンプ台数も５台必要となる。このような場合は、消耗品の部品数も多くなるという問題がある。
【００４４】
これに対し、本実施例の構成とすれば、全てのスプレノズル２７、３０に用いる循環ポンプ２６の仕様は同一となるため、消耗品等の種類も少なくすることができ、また、循環ポンプ２６同士の間で部品を流用することが可能となる。
【符号の説明】
【００４５】
１  ボイラ
２  煙突
３  Ａ／Ｈ
４  集塵機
５  脱硫装置
２１  石炭
２４  オリフィス
２６  吸収液用循環ポンプ
２７  ノズルＡ
２８  循環タンク
２９  排水ライン
３０  ノズルＢ
３１  酸化用空気
３６  燃焼用空気
【図１】
2014213288.tif 000003
【図２】
2014213288.tif 000004
【図３】
2014213288.tif 000005
【図４】
2014213288.tif 000006
【図５】
2014213288.tif 000007
【図６】
2014213288.tif 000008
【図７】
2014213288.tif 000009